(57)【要約】【課題】バスバのガタツキを抑制することができるバスバ保持構造、電気接続箱、及び、ワイヤハーネスを提供する。【解決手段】バスバ保持構造３は、バスバ端子１１と、連結端子１２０及びバスバ端子１１のいずれも収容可能な共用収容空間２１Ａを有する端子収容部材２０と、バスバ端子１１と共に端子収容部材２０に収容され、かつバスバ端子１１を保持するバスバ保持部材３１とを備える。バスバ保持部材３１は、当該バスバ保持部材３１がバスバ端子１１と共に端子収容部材２０に収容された収容状態において本体部１４と対向する対向方向に面接触する板状部３４と、端子収容部材２０の共用収容空間２１Ａを構成し対向方向に対向する一対の内壁２４のうち、バスバ保持部材３１側の内壁２４からバスバ端子１１側の内壁２４に向かう方向に弾性変形する弾性部３３とを有する。【選択図】図２
2019153572.tif 000002
【特許請求の範囲】
【請求項１】
板状の導電性材料から成り、かつ回路を構成するバスバ端子と、
前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、
前記共用収容空間に収容され、前記共用収容空間内で弾性変形する弾性部と、
を備え、
前記端子収容部材は、
前記共用収容空間に収容される前記連結端子及び前記バスバ端子の少なくとも一方において、前記挿抜方向の移動を規制して係止させる係止機構を備え、
前記バスバ端子は、
前記挿抜方向に延在して形成された本体部と、
前記本体部の挿入方向の端部に形成され、かつ対応する電子部品に電気的な接続が可能な接続部とを備え、
前記弾性部は、
弾性変形することにより、前記本体部を、前記共用収容空間を構成し対向方向に対向する一対の内壁の一方に向けて押圧する、
ことを特徴とするバスバ保持構造。
【請求項２】
前記バスバ端子と共に前記共用収容空間に収容され、かつ前記バスバ端子を保持するバスバ保持部材をさらに備え、
前記バスバ保持部材は、
前記挿抜方向に延在して形成され、かつ前記バスバ保持部材が前記バスバ端子と共に前記共用収容空間に収容された収容状態において前記本体部と対向する対向方向に面接触する板状部と、
前記弾性部と、を有し、
前記弾性部は、
前記一対の内壁の一方と、前記本体部との間で弾性変形するものであり、
前記板状部の挿入方向の端部に連結され、弾性変形することにより、前記本体部を前記バスバ保持部材側の内壁から前記バスバ端子側の内壁に向かう方向に押圧する、
請求項１に記載のバスバ保持構造。
【請求項３】
複数の前記バスバ端子が前記挿抜方向及び前記対向方向と交差する連結方向に連結され、かつ隣接する前記本体部が第１連結部で接続されたバスバと、
複数の前記バスバ保持部材が前記連結方向に連結され、かつ隣接する前記板状部が第２連結部で接続されたバスバ保持体とをさらに備え、
前記端子収容部材は、
複数の前記バスバ端子に対応して設けられた複数の前記共用収容空間において、隣接する前記共用収容空間の間の内壁を連通するスリットを有し、
前記収容状態で前記バスバの前記第１連結部及び前記バスバ保持体の前記第２連結部が共に、前記スリットに挿入挟持される、
請求項２に記載のバスバ保持構造。
【請求項４】
前記バスバ保持部材は、さらに、
前記収容状態において、前記本体部の抜去方向の端部を当該本体部の対向方向に挟持する保持部と、
前記板状部に設けられ、かつ前記対向方向に貫通する係止孔とを有し、
前記バスバ端子は、さらに、
前記収容状態において、前記本体部から前記共用収容空間に突出し前記バスバ保持部材の前記係止孔に嵌合する係止突起部を有する、
請求項２または３に記載のバスバ保持構造。
【請求項５】
前記バスバ端子は、
前記接続部と前記本体部との間に設けられ、前記接続部に対して前記本体部を前記対向方向の一方にオフセットさせる屈曲部と、
前記共用収容空間に前記バスバ端子が収容された収容状態において、前記一対の内壁の一方と面接触する規制部と、
をさらに有し、
前記係止機構は、前記規制部側の内壁に形成された端子保持部であり、
前記規制部は、
前記収容状態において、前記端子保持部に係止される被係止部を有し、
前記弾性部は、
前記一対の内壁の間で弾性変形するものであり、
一方の端部が前記本体部の抜去方向側の端部に連結され、かつ他方の端部が前記規制部の抜去方向側の端部に連結されており、弾性変形することにより、前記本体部を前記規制部側の内壁から前記本体部側の内壁に向かう方向に押圧する、
請求項１に記載のバスバ保持構造。
【請求項６】
前記バスバ端子は、
前記挿抜方向及び板厚方向と直交する幅方向に複数配列され、隣り合う前記バスバ端子が前記本体部において互いに連結されており、
複数の前記バスバ端子の少なくとも１つは、
前記本体部が、
前記接続部の前記挿入方向側の端部から前抜去方向側に向けて延在する基部と、
前記共用収容空間に前記バスバ端子が収容された収容状態において、前記本体部と対向方向に対向する前記内壁に対して面接触する接触部と、
前記弾性部とは異なる対向弾性部と、を有し、
前記係止機構は、前記接触部側の内壁に形成された端子保持部であり、
前記接触部は、
前記収容状態において、前記端子保持部に係止される被係止部を有し、
前記対向弾性部は、
前記接触部側の内壁と、前記基部との間で弾性変形するものであり、
一方の端部が前記基部の前記抜去方向側の端部に連結され、かつ他方の端部が前記接触部の抜去方向側の端部に連結されており、弾性変形することにより、前記基部を前記接触部側の内壁から前記接触部側と反対側の内壁に向かう方向に押圧し、
前記接触部を有する前記バスバ端子と異なる前記バスバ端子は、
前記弾性部と、
前記挿抜方向に形成された延在部と、を有し、
前記弾性部は、
前記延在部側の内壁と、前記本体部との間で弾性変形するものであり、
一方の端部が前記本体部の前記抜去方向側の端部に連結され、かつ他方の端部が前記延在部の抜去方向側の端部に連結されており、弾性変形することにより、前記延在部と対向方向において対向する本体部を前記延在部側の内壁から前記延在部側と反対側の内壁に向かう方向に押圧する、
請求項１に記載のバスバ保持構造。
【請求項７】
前記バスバ端子と共に前記共用収容空間に収容され、かつ前記バスバ端子に保持され放熱部材をさらに備え、
前記放熱部材は、
前記挿抜方向に延在して形成され、かつ前記放熱部材が前記バスバ端子と共に前記共用収容空間に収容された収容状態において、前記本体部と前記延在部との間に配置され、対向方向において前記本体部と面接触する、
請求項６に記載のバスバ保持構造。
【請求項８】
対応する電子部品と、
板状の導電性材料から成り、かつ回路を構成するバスバ端子と、前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、前記共用収容空間に収容され、前記共用収容空間内で弾性変形する弾性部と、を有するバスバ保持構造と、
内部に前記バスバ保持構造を収容する筐体とを備え、
前記端子収容部材は、
前記共用収容空間に収容される前記連結端子及び前記バスバ端子の少なくとも一方において、前記挿抜方向の移動を規制して係止させる係止機構を備え、
前記バスバ端子は、
前記挿抜方向に延在して形成された本体部と、
前記本体部の挿入方向の端部に形成され、かつ対応する電子部品に電気的な接続が可能な接続部とを備え、
前記弾性部は、
弾性変形することにより、前記本体部を、前記共用収容空間を構成し対向方向に対向する一対の内壁の一方に向けて押圧する、
ことを特徴とする電気接続箱。
【請求項９】
導電性を有する配索材と、
前記配索材に電気的に接続される電気接続箱とを備え、
前記電気接続箱は、
対応する電子部品と、
板状の導電性材料から成り、かつ回路を構成するバスバ端子と、前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、前記共用収容空間に収容され、前記共用収容空間内で弾性変形する弾性部と、を有するバスバ保持構造と、
内部に前記バスバ保持構造を収容する筐体とを備え、
前記端子収容部材は、
前記共用収容空間に収容される前記連結端子及び前記バスバ端子の少なくとも一方において、前記挿抜方向の移動を規制して係止させる係止機構を備え、
前記バスバ端子は、
前記挿抜方向に延在して形成された本体部と、
前記本体部の挿入方向の端部に形成され、かつ対応する電子部品に電気的な接続が可能な接続部とを備え、
前記弾性部は、
弾性変形することにより、前記本体部を、前記共用収容空間を構成し対向方向に対向する一対の内壁の一方に向けて押圧する、
ことを特徴とするワイヤハーネス。
【請求項１０】
板状の導電性材料から成り、かつ回路を構成するバスバ端子と、
前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、
前記バスバ端子と共に前記端子収容部材に収容され、かつ前記バスバ端子を保持するバスバ保持部材とを備え、
前記バスバ端子は、
前記挿抜方向に延在して形成された本体部と、
前記本体部の挿入方向の端部に形成され、かつ対応する電子部品に電気的な接続が可能な接続部とを備え、
前記端子収容部材は、
前記共用収容空間に収容される前記連結端子及び前記バスバ端子の少なくとも一方において、前記挿抜方向の移動を規制して係止させる係止機構を備え、
前記バスバ保持部材は、
前記挿抜方向に延在して形成され、かつ前記バスバ保持部材が前記バスバ端子と共に前記端子収容部材に収容された収容状態において前記本体部と対向する対向方向に面接触する板状部と、
前記板状部の挿入方向の端部に形成され、かつ前記端子収容部材の前記共用収容空間を構成し対向方向に対向する一対の内壁のうち、前記バスバ保持部材側の内壁から前記バスバ端子側の内壁に向かう方向に弾性変形する弾性部とを有することを特徴とする、
バスバ保持構造。
【発明の詳細な説明】
【技術分野】
【０００１】
本発明は、バスバ保持構造、電気接続箱、及び、ワイヤハーネスに関する。
【背景技術】
【０００２】
従来、ヒューズやリレー等の電子部品を収容して保持する電気接続箱が知られている。電気接続箱は、少なくとも電子部品の端子と、ハーネス端子とを電気的に接続させるものである。ハーネス端子には、例えば、電線の端部に圧着若しくは溶着等で電気的に接続された端子であって電子部品の端子に対して電気的に接続されるものが含まれる。このような電気接続箱は、一般的に、ハーネス端子を収容する端子収容室を備える。端子収容室には、電子部品の端子が電気的に接続される接続部を有するバスバの収容が可能に構成されたものがある（例えば特許文献１参照）。
【先行技術文献】
【特許文献】
【０００３】
【特許文献１】国際公開第２０１７／１５０５６７号
【発明の概要】
【発明が解決しようとする課題】
【０００４】
ところで、電気接続箱が、ハーネス端子を収容したり、バスバを収容したりすることが可能な端子収容室を有する場合、例えば、ハーネス端子を係止させる係止機構を利用してバスバを係止させると、当該バスバが十分に固定できず、ガタツキが生じるおそれがある。
【０００５】
本発明は、バスバのガタツキを抑制することができるバスバ保持構造、電気接続箱、及び、ワイヤハーネスを提供することを目的とする。
【課題を解決するための手段】
【０００６】
上記目的を達成するために、本発明に係るバスバ保持構造は、板状の導電性材料から成り、かつ回路を構成するバスバ端子と、前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、前記共用収容空間に収容され、前記共用収容空間内で弾性変形する弾性部と、を備え、前記端子収容部材は、前記共用収容空間に収容される前記連結端子及び前記バスバ端子の少なくとも一方において、前記挿抜方向の移動を規制して係止させる係止機構を備え、前記バスバ端子は、前記挿抜方向に延在して形成された本体部と、前記本体部の挿入方向の端部に形成され、かつ対応する電子部品に電気的な接続が可能な接続部とを備え、前記弾性部は、弾性変形することにより、前記本体部を、前記共用収容空間を構成し対向方向に対向する一対の内壁の一方に向けて押圧する、ことを特徴とする。
【０００７】
上記バスバ保持構造において、前記バスバ端子と共に前記共用収容空間に収容され、かつ前記バスバ端子を保持するバスバ保持部材をさらに備え、前記バスバ保持部材は、前記挿抜方向に延在して形成され、かつ前記バスバ保持部材が前記バスバ端子と共に前記共用収容空間に収容された収容状態において前記本体部と対向する対向方向に面接触する板状部と、前記弾性部と、を有し、前記弾性部は、前記一対の内壁の一方と、前記本体部との間で弾性変形するものであり、前記板状部の挿入方向の端部に連結され、弾性変形することにより、前記本体部を前記バスバ保持部材側の内壁から前記バスバ端子側の内壁に向かう方向に押圧する、ものである。
【０００８】
上記バスバ保持構造において、複数の前記バスバ端子が前記挿抜方向及び前記対向方向と交差する連結方向に連結され、かつ隣接する前記本体部が第１連結部で接続されたバスバと、複数の前記バスバ保持部材が前記連結方向に連結され、かつ隣接する前記板状部が第２連結部で接続されたバスバ保持体とをさらに備え、前記端子収容部材は、複数の前記バスバ端子に対応して設けられた複数の前記共用収容空間において、隣接する前記共用収容空間の間の内壁を連通するスリットを有し、前記収容状態で前記バスバの前記第１連結部及び前記バスバ保持体の前記第２連結部が共に、前記スリットに挿入挟持されるものである。
【０００９】
上記バスバ保持構造において、前記バスバ保持部材は、さらに、前記収容状態において、前記本体部の抜去方向の端部を当該本体部の対向方向に挟持する保持部と、前記板状部に設けられ、かつ前記対向方向に貫通する係止孔とを有し、前記バスバ端子は、さらに、前記収容状態において、前記本体部から前記共用収容空間に突出し前記バスバ保持部材の前記係止孔に嵌合する係止突起部を有するものである。
【００１０】
上記バスバ保持構造において、前記バスバ端子は、前記接続部と前記本体部との間に設けられ、前記接続部に対して前記本体部を前記対向方向の一方にオフセットさせる屈曲部と、前記共用収容空間に前記バスバ端子が収容された収容状態において、前記一対の内壁の一方と面接触する規制部と、をさらに有し、前記係止機構は、前記規制部側の内壁に形成された端子保持部であり、前記規制部は、前記収容状態において、前記端子保持部に係止される被係止部を有し、前記弾性部は、前記一対の内壁の間で弾性変形するものであり、一方の端部が前記本体部の前記抜去方向側の端部に連結され、かつ他方の端部が前記規制部の抜去方向側の端部に連結されており、弾性変形することにより、前記本体部を前記規制部側の内壁から前記本体部側の内壁に向かう方向に押圧するものである。
【００１１】
上記バスバ保持構造において、前記バスバ端子は、前記挿抜方向及び板厚方向と直交する幅方向に複数配列され、隣り合う前記バスバ端子が前記本体部において互いに連結されており、複数の前記バスバ端子の少なくとも１つは、前記本体部が、前記接続部の前記挿入方向側の端部から前抜去方向側に向けて延在する基部と、前記共用収容空間に前記バスバ端子が収容された収容状態において、前記本体部と対向方向に対向する前記内壁に対して面接触する接触部と、前記弾性部とは異なる対向弾性部と、を有し、前記係止機構は、前記接触部側の内壁に形成された端子保持部であり、前記接触部は、前記収容状態において、前記端子保持部に係止される被係止部を有し、前記対向弾性部は、前記接触部側の内壁と、前記基部との間で弾性変形するものであり、一方の端部が前記基部の前記抜去方向側の端部に連結され、かつ他方の端部が前記接触部の抜去方向側の端部に連結されており、弾性変形することにより、前記基部を前記接触部側の内壁から前記接触部側と反対側の内壁に向かう方向に押圧し、前記接触部を有する前記バスバ端子と異なる前記バスバ端子は、前記弾性部と、前記挿抜方向に形成された延在部と、を有し、前記弾性部は、前記延在部側の内壁と、前記本体部との間で弾性変形するものであり、一方の端部が前記本体部の前記抜去方向側の端部に連結され、かつ他方の端部が前記延在部の抜去方向側の端部に連結されており、弾性変形することにより、前記延在部と対向方向において対向する本体部を前記延在部側の内壁から前記延在部側と反対側の内壁に向かう方向に押圧するものである。
【００１２】
上記バスバ保持構造において、前記バスバ端子と共に前記共用収容空間に収容され、かつ前記バスバ端子に保持され放熱部材をさらに備え、前記放熱部材は、前記挿抜方向に延在して形成され、かつ前記放熱部材が前記バスバ端子と共に前記共用収容空間に収容された収容状態において、前記本体部と前記延在部との間に配置され、対向方向において前記本体部と面接触するものである。
【００１３】
上記目的を達成するために、本発明に係る電気接続箱は、対応する電子部品と、板状の導電性材料から成り、かつ回路を構成するバスバ端子と、前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、前記共用収容空間に収容され、前記共用収容空間内で弾性変形する弾性部と、を有するバスバ保持構造と、内部に前記バスバ保持構造を収容する筐体とを備え、前記端子収容部材は、前記共用収容空間に収容される前記連結端子及び前記バスバ端子の少なくとも一方において、前記挿抜方向の移動を規制して係止させる係止機構を備え、前記バスバ端子は、前記挿抜方向に延在して形成された本体部と、前記本体部の挿入方向の端部に形成され、かつ対応する電子部品に電気的な接続が可能な接続部とを備え、前記弾性部は、弾性変形することにより、前記本体部を、前記共用収容空間を構成し対向方向に対向する一対の内壁の一方に向けて押圧する、ことを特徴とする。
【００１４】
上記目的を達成するために、本発明に係るワイヤハーネスは、導電性を有する配索材と、前記配索材に電気的に接続される電気接続箱とを備え、前記電気接続箱は、対応する電子部品と、板状の導電性材料から成り、かつ回路を構成するバスバ端子と、前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、前記共用収容空間に収容され、前記共用収容空間内で弾性変形する弾性部と、を有するバスバ保持構造と、内部に前記バスバ保持構造を収容する筐体とを備え、前記端子収容部材は、前記共用収容空間に収容される前記連結端子及び前記バスバ端子の少なくとも一方において、前記挿抜方向の移動を規制して係止させる係止機構を備え、前記バスバ端子は、前記挿抜方向に延在して形成された本体部と、前記本体部の挿入方向の端部に形成され、かつ対応する電子部品に電気的な接続が可能な接続部とを備え、前記弾性部は、弾性変形することにより、前記本体部を、前記共用収容空間を構成し対向方向に対向する一対の内壁の一方に向けて押圧する、ことを特徴とする。
【００１５】
上記目的を達成するために、本発明に係るバスバ保持構造は、板状の導電性材料から成り、かつ回路を構成するバスバ端子と、前記バスバ端子の挿抜方向の両端に開口する開口部を介して外部と連通し、かつ対応する電子部品に電気的な接続が可能な連結端子及び前記バスバ端子のいずれも収容可能な共用収容空間を有する端子収容部材と、前記バスバ端子と共に前記端子収容部材に収容され、かつ前記バスバ端子を保持するバスバ保持部材とを備え、前記バスバ端子は、前記挿抜方向に延在して形成された本体部と、前記本体部の挿入方向の端部に形成され、かつ対応する電子部品に電気的な接続が可能な接続部とを備え、前記端子収容部材は、前記共用収容空間に収容される前記連結端子及び前記バスバ端子の少なくとも一方において、前記挿抜方向の移動を規制して係止させる係止機構を備え、前記バスバ保持部材は、前記挿抜方向に延在して形成され、かつ前記バスバ保持部材が前記バスバ端子と共に前記端子収容部材に収容された収容状態において前記本体部と対向する対向方向に面接触する板状部と、前記板状部の挿入方向の端部に形成され、かつ前記端子収容部材の前記共用収容空間を構成し対向方向に対向する一対の内壁のうち、前記バスバ保持部材側の内壁から前記バスバ端子側の内壁に向かう方向に弾性変形する弾性部とを有することを特徴とする。
【発明の効果】
【００１６】
本発明に係るバスバ保持構造、電気接続箱、及び、ワイヤハーネスは、バスバのガタツキを抑制することができる、という効果を奏する。
【図面の簡単な説明】
【００１７】
【図１】図１は、実施形態に係るバスバ保持構造を有する電気接続箱及びワイヤハーネスの概略構成を示す斜視図である。
【図２】図２は、電気接続箱及びワイヤハーネスの概略構成を示す分解斜視図である。
【図３】図３は、電気接続箱及びワイヤハーネスの概略構成を示す分解斜視図である。
【図４】図４は、バスバ及びバスバ保持部材の概略構成を示す斜視図である。
【図５】図５は、バスバの概略構成を示す斜視図である。
【図６】図６は、バスバ保持部材の概略構成を示す斜視図である。
【図７】図７は、電気接続箱及びワイヤハーネスの断面図である。
【図８】図８は、電気接続箱及びワイヤハーネスの断面図である。
【図９】図９は、実施形態の第１変形例に係るバスバ保持構造を有する電気接続箱及びワイヤハーネスの概略構成を示す分解斜視図である。
【図１０】図１０は、実施形態の第２変形例に係るバスバ保持構造を有する電気接続箱及びワイヤハーネスの断面図である。
【図１１】図１１は、第２実施形態に係るバスバ保持構造、電気接続箱、及びワイヤハーネスの概略構成を示す斜視図である。
【図１２】図１２は、第２実施形態に係るバスバ保持構造の概略構成を示す分解斜視図である。
【図１３】図１３は、第２実施形態に係るバスバの概略構成を示す斜視図である。
【図１４】図１４は、第２実施形態に係るバスバの概略構成を示す他の斜視図である。
【図１５】図１５は、第２実施形態に係るバスバ保持構造の概略構成を示す縦断面図である。
【図１６】図１６は、第３実施形態に係るバスバ保持構造、電気接続箱、及びワイヤハーネスの概略構成を示す斜視図である。
【図１７】図１７は、第３実施形態に係るバスバ保持構造の概略構成を示す分解斜視図である。
【図１８】図１８は、第３実施形態に係るバスバの概略構成を示す斜視図である。
【図１９】図１９は、第３実施形態に係るバスバの概略構成を示す他の斜視図である。
【図２０】図２０は、第３実施形態に係るバスバ保持構造の概略構成を示す縦断面図である。
【図２１】図２１は、第３実施形態に係るバスバ保持構造の概略構成を示す他の縦断面図である。
【図２２】図２２は、第３実施形態の変形例に係るバスバ保持構造の概略構成を示す分解斜視図である。
【図２３】図２３は、第３実施形態の変形例に係るバスバ及び放熱部材の概略構成を示す斜視図である。
【図２４】図２４は、第３実施形態の変形例に係るバスバの概略構成を示す斜視図である。
【図２５】図２５は、第３実施形態の変形例に係る放熱部材の概略構成を示す斜視図である。
【図２６】図２６は、第３実施形態の変形例に係るバスバ保持構造の概略構成を示す縦断面図である。
【図２７】図２７は、第３実施形態の変形例に係るバスバ保持構造の概略構成を示す他の縦断面図である。
【発明を実施するための形態】
【００１８】
以下に、本発明に係る実施形態を図面に基づいて詳細に説明する。なお、この実施形態により本発明が限定されるものではない。また、下記の実施形態における構成要素には、いわゆる当業者が容易に想定できるもの、あるいは実質的に同一のものが含まれる。
【００１９】
［第１実施形態］
第１実施形態に係るバスバ保持構造、電気接続箱、及びワイヤハーネスについて図１〜図８を参照して説明する。なお、図１は、各部が相互に組付けられた状態の電気接続箱及びワイヤハーネスの一例を示す斜視図である。図２は、端子収容部材と、当該端子収容部材に収容されるバスバ、バスバ保持部材及び電子部品について示す分解斜視図である。図３は、端子収容部材と、当該端子収容部材に収容される連結端子及び電子部品について示す分解斜視図である。図４は、バスバとバスバ保持部材とを組み合わせた状態を示す斜視図である。図７は、端子収容部材と、当該端子収容部材に収容される連結端子及び電子部品について示すものであり、図１のＡ−Ａ線における断面図である。図８は、端子収容部材と、当該端子収容部材に収容されるバスバ、バスバ保持部材及び電子部品について示すものであり、図１のＡ−Ａ線における断面図である。
【００２０】
以下の説明では、特に記載しない限り、互いに交差するＸ方向、Ｙ方向、及び、Ｚ方向のうち、Ｘ方向を「幅方向」と呼び、Ｙ方向を「奥行方向」と呼び、Ｚ方向を「上下方向」と呼ぶ。ここでは、Ｘ方向とＹ方向とＺ方向とは、相互に直交する。特に、上下方向における上方向を上側、下方向を下側とも呼ぶ。なお、上下方向は鉛直方向に限られない。すなわち、上下方向の上側及び下側は、必ずしも鉛直方向の上側及び下側と一致するものではない。以下の説明で用いる各方向は、特に断りのない限り、各部が相互に組み付けられ、バスバ保持構造、電気接続箱、及び、ワイヤハーネスが車両に搭載された状態での方向として説明する。
【００２１】
図１〜図３に示す本実施形態に係る電気接続箱１は、自動車等の車両に搭載され、ワイヤハーネスＷＨに組み込まれる。ワイヤハーネスＷＨは、例えば、車両に搭載される各機器間の接続のために、電源供給や信号通信に用いられる複数の配索材Ｗを束にして集合部品とし、コネクタ等で複数の配索材Ｗを各機器に接続するようにしたものである。ワイヤハーネスＷＨは、導電性を有する配索材Ｗと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。ワイヤハーネスＷＨは、複数の配索材Ｗを束ねて集約すると共に、束ねられた配索材Ｗの端末に設けられたコネクタ等を介して電気接続箱１が電気的に接続される。ワイヤハーネスＷＨは、この他、さらに、グロメット、プロテクタ、固定具等を含んで構成されてもよい。
【００２２】
電気接続箱１は、コネクタ、ヒューズ、リレー、コンデンサ、分岐部、電子制御ユニット等の電装品を集約して内部に収容するものである。電気接続箱１は、例えば、車両のエンジンルームや車両室内に設置される。電気接続箱１は、配索材Ｗ等を介して、バッテリ等の電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。
【００２３】
具体的には、電気接続箱１は、電子部品２と、バスバ保持構造３と、内部にバスバ保持構造３を収容する筐体４とを備える。電子部品２は、筐体４の内部に収容され、種々の機能を発揮する素子である。電子部品２は、例えば、コンデンサ、リレー、抵抗、トランジスタ、ヒューズ、コネクタ、ＩＰＳ（Ｉｎｔｅｌｌｉｇｅｎｔ  Ｐｏｗｅｒ  Ｓｗｉｔｃｈ）、マイコンを含む電子制御ユニット等である。電子部品２は、電子部品本体２１１と、この電子部品本体２１１に電気的に接続される端子２１２とを備える。図示例の電子部品２は、ヒューズであって、端子２１２を板状の雄型に成形している。筐体４は、絶縁性を有する樹脂材料によって形成される。筐体４は、複数の部材を組み合わせることによって中空箱状に形成される。筐体４は、中空状の内部に電子部品２、バスバ保持構造３等を含む各部を収容する。電気接続箱１は、電子部品２がバスバ保持構造３に組み付けられた状態で筐体４内に収容され、当該電子部品２に配索材Ｗが電気的に接続される。
【００２４】
バスバ保持構造３は、例えば、電子部品２と配索材Ｗとの間に介在させた接続体（所謂ブロックの如きもの）として構成される。バスバ保持構造３は、電子部品２と、連結端子１２０及びバスバ１０の一方又は両方とが内部に収容及び保持され、その内部において電子部品２と、連結端子１２０及びバスバ１０の一方又は両方とを電気的に接続させる。バスバ保持構造３においては、連結端子１２０及びバスバ１０のそれぞれに対して、直接的又は間接的にかつ電気的に接続された配索材Ｗが外部に引き出されている。
【００２５】
ここで、連結端子１２０は、配索材Ｗの端部に圧着若しくは溶着等で電気的に接続されたハーネス端子であり、１つの相手側端子に対して電気的に接続させるものである。具体的には、連結端子１２０は、対応する電子部品２の端子２１２を相手側端子とするものである。連結端子１２０は、例えば、導電性の金属の板材（例えば銅板）を母材にして、相手側端子との物理的な接続が可能な所定の形状に成形されたものである。図示例の連結端子１２０は、雌端子であっても、雄端子であってもよい。連結端子１２０には、１つの端子接続部１２１と、配索材Ｗに対して電気的に接続された電線接続部１２２とが設けられている。図示例では、上記の雄型の相手側端子（端子２１２）に合わせて端子接続部１２１が雌型に成形され、かつ、配索材Ｗを圧着させるように電線接続部１２２が成形されている。端子接続部１２１は、連結端子１２０の端子形態（雄型又は雌型）に応じた形状に適宜成形される。
【００２６】
バスバ保持構造３は、バスバ１０と、端子収容部材２０と、バスバ保持体３０とを備える。バスバ１０は、導電性を有し回路を構成する回路体である。バスバ１０は、導電性を有する金属材料（例えば銅または銅合金）によって形成され、要求される回路の一部を構成する。バスバ１０は、複数の電子部品２と、電源（不図示）とに電気的に接続され、当該電源からの電力を複数の電子部品２に分配する。バスバ１０は、例えば、板状に形成された金属材料がプレス加工されることで要求される回路に対応した形状に形成される。バスバ１０は、図４に示すように、バスバ保持体３０と組み合わされた状態で端子収容部材２０に収容される。バスバ１０は、図５に示すように、複数のバスバ端子１１が連結方向（Ｘ方向）に連結されて構成される。バスバ１０は、連結方向に隣接するバスバ端子１１が相互に連結部１２で接続されている。連結部１２は、第１連結部であり、隣接するバスバ端子１１の本体部１４を接続する部分である。バスバ１０は、端子収容部材２０に保持される突出部１８を有する。突出部１８は、バスバ１０の連結方向のいずれか一方の端部から突出して形成される。突出部１８は、バスバ保持部材３１がバスバ端子１１と共に端子収容部材２０に収容された収容状態（以下、単に「収容状態」とも呼ぶ。）において、複数の共用収容空間２１Ａの配列方向（Ｘ方向）のうちの一方の外壁２７に形成されたスリット２５Ｂに挿入挟持される。
【００２７】
バスバ端子１１は、接続部１３と、本体部１４と、屈曲部１５とを含んで構成される。接続部１３は、相手側端子に対する電気的な接続を可能にする部位であり、接続対象となる相手側端子の形状に合わせて成形されている。具体的には、接続部１３は、図５に示すように、本体部１４の挿入方向（Ｚ方向の上側）の端部に形成され、かつ対応する電子部品２に電気的に接続される。接続部１３は、上記の雄型の相手側端子（端子２１２）に合わせて、板状の音叉端子として成形されている。各接続部１３は、各々の相手側端子との接続方向を互いに一致させるべく、同一平面上で互いに間隔を空けて一列に並べて配置されている。接続部１３は、屈曲部１５を介して本体部１４に接続されている。
【００２８】
本体部１４は、バスバ端子１１の挿抜方向（Ｚ方向）において延在して形成された部分である。本体部１４は、被係止部１６と、係止突起部１７とを備える。被係止部１６は、バスバ端子１１における本体部１４の板厚方向（Ｙ方向）に貫通する貫通孔である。被係止部１６は、例えば、打ち抜き加工等により所定の形状に形成される。被係止部１６は、上述した収容状態において、端子収容部材２０に設けられた端子保持部２６に係止して、バスバ端子１１の抜去方向（Ｚ方向の下側）の移動を規制するものである。被係止部１６は、端子収容部材２０に設けられた端子保持部２６の形状に合わせて、開口部の挿入方向側の辺部が当該挿入方向と直交する方向（ここではＸ方向）に直線状に形成されている。係止突起部１７は、上記収容状態において、本体部１４から共用収容空間２１Ａに突出しバスバ保持部材３１の係止孔３５に嵌合するものである。係止突起部１７は、被係止部１６の位置と被らないように抜去方向の下方側に形成される。係止突起部１７は、例えば、打ち抜き加工によりバスバ端子１１の板厚方向に打ち抜いて貫通孔を形成した後、挿抜方向に延在する係止突起部１７をバスバ保持部材３１側に折り曲げて形成される。係止突起部１７は、バスバ保持部材３１の抜去方向の移動を規制すべく、バスバ保持部材３１に設けられた係止孔３５に係止して、当該バスバ保持部材３１を保持する。
【００２９】
屈曲部１５は、接続部１３と本体部１４との間に設けられ、複数の屈曲を有してクランク形状に形成された部分である。屈曲部１５は、接続部１３の延在方向（Ｚ方向）と、本体部１４の延在方向（Ｚ方向）とが平行となるように、直角的に屈曲して形成される。屈曲部１５は、共用収容空間２１Ａにおいて、バスバ端子１１の接続部１３と被係止部１６との位置関係が、連結端子１２０の端子接続部１２１と被係止部１２３との位置関係と対応するように、その形状が設定される。バスバ１０における各屈曲部１５は、挿抜方向において同じ位置に形成されている。
【００３０】
端子収容部材２０は、連結端子１２０及びバスバ端子１１のいずれも収容可能な共用収容空間２１Ａを有する。すなわち、端子収容部材２０は、例えば車両の仕様に応じて、１つの連結端子１２０を収容したり、バスバ１０における１つのバスバ端子１１を収容したりすることが可能に構成された共用収容空間２１Ａを有する。端子収容部材２０は、例えば、合成樹脂等の絶縁材料で成形される。共用収容空間２１Ａは、端子収容部材２０の内部に１または複数形成され、バスバ端子１１の挿抜方向の両端に開口する開口部２２，２２Ａを介して外部と連通する空間である。開口部２２は、端子収容部材２０の挿入方向の端部に設けられており、電子部品２の端子２１２が挿入される挿入口である。また、開口部２２は、要求される回路に必要な電子部品２の数に応じて端子収容部材２０に複数設けられる。開口部２２Ａ，２２Ｂは、それぞれが端子収容部材２０の開口部２２と対向する方向（Ｚ方向）の端部に設けられており、連結端子１２０またはバスバ端子１１が挿入される挿入口である。開口部２２Ａ，２２Ｂは、要求される回路に応じて端子収容部材２０に複数設けられる。開口部２２Ａは、連結端子１２０及びバスバ１０のバスバ端子１１の挿入を可能とし、収容空間２３のうち、連結端子１２０とバスバ端子１１とで共用される共用収容空間２１Ａに連通する。開口部２２Ｂは、少なくとも連結端子１２０の挿入を可能とし、収容空間２３のうち、連結端子１２０が収容される単独収容空間２１Ｂに連通する。図示例の端子収容部材２０には、複数の共用収容空間２１Ａと、複数の単独収容空間２１Ｂが形成されているが、これに限定されるものではない。
【００３１】
複数の共用収容空間２１Ａは、連結端子１２０と、バスバ１０における１つのバスバ端子１１とを入れ替えて収容可能で、かつ、バスバ１０のそれぞれのバスバ端子１１毎に割り当てられている。一方、複数の単独収容空間２１Ｂは、連結端子１２０の収容が可能で、かつ、バスバ１０のそれぞれのバスバ端子１１毎に割り当てられている。本実施形態の複数の共用収容空間２１Ａは、バスバ端子１１の挿抜方向において複数の単独収容空間２１Ｂよりも長く延在して形成されている。本実施形態の端子収容部材２０は、全ての収容空間２３の内の一部の複数の収容空間２３を共用収容空間２１Ａとして設定しているが、全ての収容空間２３を共用収容空間２１Ａとして設定してもよい。
【００３２】
端子収容部材２０は、図７及び図８に示すように、共用収容空間２１Ａに収容された連結端子１２０を保持する端子保持部２６が設けられている。端子保持部２６は、共用収容空間２１Ａに収容されたバスバ１０のバスバ端子１１を保持することも可能である。端子保持部２６は、共用収容空間２１Ａ毎に設ける。本実施形態の端子保持部２６は、端子収容部材２０の共用収容空間２１Ａを構成し対向方向に対向する一対の内壁２４のうち、バスバ端子１１側の内壁２４から共用収容空間２１Ａに向けて突出した突起である。本実施形態の端子収容部材２０は、共用収容空間２１Ａに収容される連結端子１２０及びバスバ端子１１の少なくとも一方において、バスバ端子１１の挿抜方向の移動を規制して係止させる係止機構７を備える。具体的に、係止機構７は、共用収容空間２１Ａに収容された連結端子１２０の被係止部１２３を端子保持部２６で係止するものである。被係止部１２３には、図３及び図７に示すように、端子接続部１２１の端部（バスバ端子１１の抜去方向の端部）に形成されている辺部が利用される。また、係止機構７は、収容空間２３のうち、共用収容空間２１Ａに収容されたバスバ１０のバスバ端子１１の被係止部１６を端子保持部２６で係止するものである。
【００３３】
端子収容部材２０は、図２及び図３に示すように、複数のスリット２５Ａと、１つのスリット２５Ｂとを有する。スリット２５Ａは、複数のバスバ端子１１に対応して設けられた複数の共用収容空間２１Ａにおいて、隣接する共用収容空間２１Ａの間の内壁２４を連通する。端子収容部材２０は、上記収容状態において、バスバ１０の連結部１２及びバスバ保持体３０の連結部３２が共に、スリット２５Ａに挿入挟持される。スリット２５Ｂは、隣接する共用収容空間２１Ａの配列方向の一方の外壁２７に設けられ、外部と連通するスリット２５Ｂを有する。スリット２５Ｂは、上記収容状態において、バスバ１０の突出部１８を挟持して保持する。
【００３４】
バスバ保持体３０は、バスバ１０と共に端子収容部材２０に収容され、当該端子収容部材２０内でバスバ１０を保持する保持部材である。バスバ保持体３０は、導電性を有し放熱性の高い金属材料（例えば銅または銅合金）等によって形成される。バスバ保持体３０は、例えば、板状に形成された金属材料がプレス加工されることで要求される形状に形成される。バスバ保持体３０は、図４に示すように、バスバ１０と組み合わされた状態で端子収容部材２０に収容される。バスバ保持体３０は、図６に示すように、複数のバスバ保持部材３１が連結方向（Ｘ方向）に連結されて構成される。バスバ保持体３０は、連結方向に隣接するバスバ保持部材３１が相互に連結部３２で接続されている。連結部３２は、第２連結部であり、隣接するバスバ保持部材３１の板状部３４を接続する部分である。
【００３５】
バスバ保持部材３１は、バスバ端子１１と共に端子収容部材２０に収容され、当該バスバ端子１１を保持する。バスバ保持部材３１は、弾性部３３と、板状部３４と、係止孔３５と、保持部３６とを備える。
【００３６】
弾性部３３は、板状部３４の挿入方向の端部に形成されている。弾性部３３は、端子収容部材２０の収容空間２３を構成し対向方向（Ｙ方向）に対向する一対の内壁２４のうち、バスバ保持部材３１側の内壁２４からバスバ端子１１側の内壁２４に向かう方向に弾性変形する部分である。すなわち、弾性部３３は、上記収容状態において、弾性変形することにより、本体部１４を、共用収容空間を構成し対向方向に対向する一対の内壁２４の一方に向けて押圧する。ここで、バスバ保持部材３１側の内壁２４は、弾性部３３が接触する側の内壁であり、バスバ端子１１側の内壁２４は、バスバ保持部材３１の板状部３４がバスバ端子１１に面接触する側の内壁である。弾性部３３は、バスバ保持部材３１の連結方向から見た場合、抜去方向側に開口するＣ字形状に形成され、かつ挿入方向の底部から開口方向（抜去方向）に向かって当該開口が広くなるように形成される。ここで、バスバ保持部材３１側の内壁２４とバスバ端子１１側の内壁２４との間の幅をＬ１、外力が加えられていない状態の弾性部３３の開口における対向方向の幅をＬ２、バスバ保持部材３１の板状部が面接触するバスバ端子１１の本体部１４の板厚をＬ３とする。弾性部３３は、幅Ｌ１に対して、幅Ｌ２に板厚Ｌ３を加えた幅（Ｌ２＋Ｌ３）が、幅Ｌ１＜幅（Ｌ２＋Ｌ３）の関係となるように設定される。弾性部３３は、本体部１４から挿入方向に延在し対向方向に屈曲する屈曲部３３ａを有する。屈曲部３３ａは、上記収容状態において、バスバ端子１１の屈曲部１５を挿入方向に保持し、かつバスバ端子１１を内壁２４側に向かうように保持する。
【００３７】
板状部３４は、挿抜方向に延在して形成され、上記収容状態において本体部１４と対向する対向方向（ここではＹ方向）に面接触する部分である。板状部３４は、隣接する当該板状部が連結部３２で接続されている。
【００３８】
係止孔３５は、バスバ保持部材３１における板状部３４の板厚方向（Ｙ方向）に貫通する貫通孔である。係止孔３５は、例えば、打ち抜き加工等により所定の形状に形成される。係止孔３５は、上記収容状態において、バスバ端子１１側の係止突起部１７に係止して、バスバ保持部材３１の抜去方向の移動を規制するものである。係止孔３５は、バスバ端子１１側の係止突起部１７の形状に合わせて、開口部の挿入方向側の辺部が当該挿入方向と直交する方向（ここではＸ方向）に直線状に形成されている。
【００３９】
保持部３６は、板状部３４の挿抜方向における抜去方向の端部に形成されている。保持部３６は、板状部３４の端部を折り曲げて、曲げ加工でＹ方向のうちの一方に向けて形成される。保持部３６は、バスバ端子１１の抜去方向への移動を規制すべく、本体部１４の抜去方向の端部を挟持する。
【００４０】
次に、本実施形態に係るバスバ保持構造３の組み立て手順について説明する。なお、バスバ保持構造３の組み立て手順としては、以下に説明するものに限らず、組み立て後においてバスバ保持構造３が構成されていればよいため、以下に示す各手順が適宜に前後してもよい。まず、作業員は、バスバ１０に対してバスバ保持体３０を組み合わせる。この場合、作業員は、各バスバ保持部材３１に設けられた保持部３６に、各バスバ端子１１の本体部１４の抜去方向の端部を挿入しつつ、本体部１４の係止突起部１７を板状部３４の係止孔３５に係止させる。次に、作業員は、バスバ１０とバスバ保持体３０とを組み合わせたアッシー（ＡＳＳ’Ｙ）を、端子収容部材２０の共用収容空間２１Ａに収容する。この場合は、作業員は、当該アッシーを、開口部２２Ａから挿入して共用収容空間２１Ａ内に押し込んでいく。共用収容空間２１Ａに収容されたアッシーは、バスバ保持部材３１の弾性部３３が、対向方向に対向する一対の内壁２４のうち、バスバ保持部材３１側の内壁２４からバスバ端子１１側の内壁２４に向かう方向に弾性変形する。そして、作業員は、バスバ端子１１の連結部１２とバスバ保持部材３１の連結部３２とが重なりあった部分をスリット２５Ａに挿入しつつ、バスバ１０の突出部１８をスリット２５Ｂに挿入する。次に、作業員は、連結端子１２０を端子収容部材２０に組付ける。この場合、作業員は、例えば、端子収容部材２０の複数の単独収容空間２１Ｂ（または複数の共用収容空間２１Ａの一部）に、連結端子１２０を収容する。次に、作業員は、端子収容部材２０の開口部２２から、対応する電子部品２を収容する。この場合、電子部品２は、一方の端子２１２にバスバ端子１１が電気的に接続され、他方の端子２１２には連結端子１２０が電気的に接続される。なお、バスバ保持構造３が筐体４に収容された電気接続箱１である場合、電子部品２は、当該電気接続箱１が組み上がる直前に組み付けてもよい。
【００４１】
以上説明したように、バスバ保持構造３、電気接続箱１、及びワイヤハーネスＷＨは、以下の構成を有する。すなわち、バスバ端子１１と共に端子収容部材２０に収容されるバスバ保持部材３１が、上記収容状態において、バスバ端子１１と対向する対向方向に面接触し、かつバスバ保持部材３１側の内壁２４からバスバ端子１１側の内壁２４に向けて弾性変形する。これにより、バスバ保持部材３１がバスバ端子１１を端子収容部材２０の内壁２４に押し付けるように保持するので、バスバ１０のガタツキを抑制することができる。また、バスバ保持部材３１が、バスバ端子１１に面接触するので、通電時にバスバ端子１１で生じる発熱をバスバ保持部材３１側に伝熱させて放熱することができる。また、バスバ保持部材３１が導電性を有しバスバ端子１１の本体部１４と面接触することから、本体部１４の水平方向（Ｘ方向及びＹ方向）の断面積が減少した部分の電気抵抗を減らすことができ、バスバ端子１１に生じる発熱を抑制することが可能となる。
【００４２】
また、上記バスバ保持構造３、電気接続箱１、及びワイヤハーネスＷＨは、端子収容部材２０が、複数のバスバ端子１１に対応して設けられた複数の共用収容空間２１Ａにおいて、隣接する共用収容空間２１Ａの間の内壁２４を連通するスリット２５Ａを有する。これにより、上記収容状態でバスバ１０及びバスバ保持体３０が共にスリット２５Ａに挿入挟持され、バスバ１０及びバスバ保持体３０のガタツキを抑制すると共に、当該バスバ１０及びバスバ保持体３０を相手側端子との接続位置に精度良く合わせることができる。
【００４３】
また、上記バスバ保持構造３、電気接続箱１、及びワイヤハーネスＷＨは、バスバ保持部材３１が、上記収容状態において、保持部３６でバスバ端子１１の抜去方向の端部を挟持し、かつ係止孔３５をバスバ端子１１の係止突起部１７に係止させる。これにより、バスバ保持部材３１がバスバ端子１１の抜去方向の移動を規制すると共に、バスバ端子１１がバスバ保持部材３１の抜去方向の移動を規制するので、バスバ端子１１及びバスバ保持部材３１の脱落を防止することができる。
【００４４】
また、上記バスバ保持構造３、電気接続箱１、及びワイヤハーネスＷＨは、バスバ端子１１が屈曲部１５と被係止部１６とを有するので、共用収容空間２１Ａの形状を変更することなく、バスバ端子１１を共用収容空間２１Ａ内に収容し保持することができる。
【００４５】
また、上記バスバ保持構造３、電気接続箱１、及びワイヤハーネスＷＨは、複数の共用収容空間２１Ａが、バスバ端子１１の挿抜方向において複数の単独収容空間２１Ｂよりも長く延在して形成されている。これにより、共用収容空間２１Ａと単独収容空間２１Ｂとの違いを目視で容易に確認することができ、組み立て作業時における連結端子１２０及びバスバ１０の組付けミスを低減することが可能となる。
【００４６】
上記実施形態では、端子収容部材２０は、複数の共用収容空間２１Ａの全てに対して、連結端子１２０またはバスバ１０のいずれか一方を収容しているが、これに限定されるものではない。図９は、実施形態の第１変形例に係るバスバ保持構造を有する電気接続箱及びワイヤハーネスの概略構成を示す分解斜視図である。例えば、図９に示すように、端子収容部材２０は、複数の共用収容空間２１Ａのうちの一部に少なくとも１つの連結端子１２０またはバスバ１０Ａを収容する構成であってもよい。ここで、バスバ１０Ａは、相手側端子に合わせた数（図示例では４つ）のバスバ端子１１が形成されている。バスバ１０Ａには、バスバ端子１１に合わせた数（図示例では４つ）のバスバ保持部材３１を有するバスバ保持体３０Ａが組み合わされている。
【００４７】
また、上記実施形態では、バスバ保持部材３１は、屈曲部１５を有するバスバ端子１１と組み合わせて端子収容部材２０に収容されているが、これに限定されるものではない。図１０は、実施形態の第２変形例に係るバスバ保持構造を有する電気接続箱及びワイヤハーネスの断面図である。例えば、図１０に示すように、バスバ保持部材３１Ａを、屈曲部１５の無いバスバ端子１１Ａに組み合わせて端子収容部材２０Ａに収容する構成であってもよい。バスバ端子１１Ａは、接続部１３と本体部１４とが同一平面上で挿抜方向に直線状に形成されており、上記収容状態において、突出部１８がスリット２５Ｂに挟持される。バスバ保持部材３１Ａは、板状部３４よりも挿抜方向に短く形成された板状部３４Ａと、弾性部３３とを有する。板状部３４Ａは、挿抜方向に延在して形成され、上記収容状態において本体部１４と対向する対向方向（ここではＹ方向）に面接触する部分である。板状部３４Ａは、挿抜方向において、上記板状部３４よりも短く延在して形成されている。上記構成を有するバスバ保持構造３、電気接続箱１、及びワイヤハーネスＷＨは、上述した効果と同様の効果を奏することができる。
【００４８】
また、上記実施形態では、電気接続箱１は、バスバ保持構造３を備える構成であるが、これに限定されず、バスバ保持構造３自体で構成されていてもよい。すなわち、電気接続箱１は、電子部品２と、バスバ１０と、端子収容部材２０と、バスバ保持体３０とを備える構成であってもよい（以下の実施形態でも同様）。
【００４９】
また、上記実施形態では、バスバ端子１１側に形成された係止突起部１７に、バスバ保持部材３１側に設けられた係止孔３５を係止させているが、これに限定されるものではない。すなわち、バスバ保持部材３１側に係止突起部１７を形成し、かつバスバ端子１１側に係止孔３５を形成することで、当該係止孔３５に当該係止突起部１７を係止させる構成であってもよい。
【００５０】
また、上記実施形態では、バスバ保持体３０は、金属材料等によって形成されるが、放熱性が高い材料であれば、金属材料以外のもの（例えば合成樹脂等）であってもよい。また、バスバ保持体３０は、バスバ１０のガタツキを抑制することを優先する場合には、合成樹脂材料等によって形成されてもよい。
【００５１】
また、上記実施形態では、連結端子１２０に接続される電子部品２と、バスバ端子１１に接続される電子部品２とが同種である場合について説明したが、これに限定されず、互いに異なる種類の電子部品であってもよい（以下の実施形態でも同様）。
【００５２】
［第２実施形態］
次に、第２実施形態に係るバスバ保持構造、電気接続箱、及びワイヤハーネスについて図１１〜図１５を参照して説明する。なお、図１１（図１６も同様）は、各部が相互に組付けられた状態の電気接続箱及びワイヤハーネスの一例を示す。図１１、図１２（図１５〜図１７、図２０〜図２２、図２６、図２７も同様）では、バスバに接続される配索材等は省略されている。図１５は、図１１のＢ−Ｂ線における縦断面図である。
【００５３】
第２実施形態に係るバスバ保持構造３Ａ、電気接続箱１、及びワイヤハーネスＷＨは、バスバ保持体３０が省略され、バスバ１０の形状が異なる点で上記第１実施形態とは異なる。以下では、上述した実施形態と同様の構成要素には共通の符号が付されると共に、共通する構成、作用、効果については、重複した説明はできるだけ省略する（以下の実施形態も同様とする）。
【００５４】
本実施形態の電気接続箱１は、電子部品２と、内部にバスバ保持構造３Ａを収容する筐体４とを備える。バスバ保持構造３Ａは、バスバ１０Ａと、端子収容部材２０とを備える。本実施形態のバスバ１０Ａは、上記バスバ保持体３０のバスバ端子保持機能を有する点で上記バスバ１０とは異なる。バスバ１０Ａは、バスバ端子１１Ａと、連結部１２Ａと、突出部１８Ａとを含んで構成される。
【００５５】
バスバ端子１１Ａは、接続部１３と、本体部１４Ａと、屈曲部１５Ａと、弾性部１３３と、規制部１３４とを含んで構成される。接続部１３は、屈曲部１５Ａを介して本体部１４Ａに接続されている。屈曲部１５Ａは、接続部１３と本体部１４Ａとの間に設けられ、接続部１３に対して本体部１４Ａを対向方向の一方にオフセットさせる部分である。屈曲部１５Ａは、接続部１３の延在方向（Ｚ方向）と、本体部１４Ａの延在方向（Ｚ方向）とが平行となるように、直角的に屈曲して形成される。本実施形態の屈曲部１５Ａは、図１４に示すように、接続部１３における音叉形状部分の抜去方向側の底面と屈曲部１５との間の挿抜方向の距離Ｈを、上記第１実施形態におけるバスバ端子１１よりも十分な余裕をもって設定することができる。例えば、距離Ｈを３ｍｍ以上確保することができるので、プレス加工による接続部１３の音叉形状部分（バネ部）への影響を減少させることが可能となる。バスバ１０Ａにおける各屈曲部１５Ａは、挿抜方向において同じ位置に形成されている。
【００５６】
弾性部１３３は、一対の内壁２４ａ，２４ｂの間で弾性変形するものである。すなわち、弾性部１３３は、共用収容空間２１Ａを構成する一対の内壁２４ａ，２４ｂのうち、本体部１４Ａと対向する内壁２４ａに向かって弾性変形する部分である。弾性部１３３は、一方の端部が本体部１４Ａの抜去方向側の端部に連結され、他方の端部が規制部１３４の抜去方向側の端部に連結されており、弾性変形することにより、本体部１４Ａを本体部１４Ａ側の内壁２４ｂから規制部１３４側の内壁２４ａに向かう方向に押圧する。弾性部１３３は、弾性部１３３は、バスバ端子１１Ａの連結方向から視た断面形状が、挿入方向側に開口するＵ字形状に形成される。なお、弾性部１３３は、抜去方向側の底部から開口方向（挿入方向）側に向かって開口が広くなるように形成されていてもよい。
【００５７】
規制部１３４は、弾性部１３３の抜去方向側の端部から挿入方向側に延在して形成された部分である。規制部１３４は、共用収容空間２１Ａにバスバ端子１１Ａが収容された収容状態において、一対の内壁２４ａ，２４ｂの一方（ここでは内壁２４ａ）と面接触する。規制部１３４は、上記収容状態において、端子保持部２６に係止される被係止部１６（７）を有する。被係止部１６は、バスバ端子１１Ａにおける規制部１３４の板厚方向に貫通する貫通孔である。被係止部１６は、上述した収容状態において、端子収容部材２０の内壁２４ａに設けられた端子保持部２６に係止して、バスバ端子１１Ａの抜去方向の移動を規制するものである。被係止部１６は、端子保持部２６の形状に合わせて、開口部の挿入方向側の辺部が当該挿入方向と直交する方向（ここではＸ方向）に直線状に形成されている。
【００５８】
連結部１２Ａは、連結方向に隣接するバスバ端子１１Ａを後述する弾性部１３３で相互に接続する点で上記連結部１２とは異なる。連結部１２Ａは、上記弾性部１３３と同様に、バスバ端子１１Ａの連結方向から視た断面形状が、挿入方向側に開口するＵ字形状に形成される。本実施形態の突出部１８Ａは、形状が異なる点で上記突出部１８とは異なる。突出部１８Ａは、上記弾性部１３３と同様に、バスバ端子１１Ａの連結方向から視た断面形状が、挿入方向側に開口するＵ字形状に形成される。突出部１８Ａは、共用収容空間２１Ａにバスバ端子１１Ａが収容された収容状態において、複数の共用収容空間２１Ａの配列方向（Ｘ方向）のうちの一方の外壁２７に形成されたスリット２５Ｂに挿入挟持される（図１２）。本実施形態のスリット２５Ｂは、突出部１８Ａの形状に合わせて上記実施形態のスリット２５Ｂよりも奥行き方向の幅が大きくなっている。
【００５９】
以上説明したように、バスバ保持構造３Ａ、電気接続箱１、及びワイヤハーネスＷＨは、以下の構成を有する。すなわち、バスバ端子１１Ａは、上記収容状態において、一対の内壁２４ａ，２４ｂの一方と面接触する規制部１３４と、一対の内壁の間で弾性変形する弾性部１３３とを有する。弾性部１３３は、一方の端部が本体部１４Ａの抜去方向側の端部に連結され、他方の端部が規制部１３４の抜去方向側の端部に連結されており、弾性変形することにより、本体部１４Ａを規制部１３４側の内壁２４ｂから本体部１４Ａ側の内壁２４ａに向かう方向に押圧する。これにより、上記収容状態において、バスバ端子１１Ａが内壁２４ｂ側に押し付けられて共用収容空間２１Ａに保持されるので、バスバ端子１１Ａのガタツキを抑制することができる。この結果、端子収容部材２０に収容されるバスバ１０Ａのガタツキを抑制することができる。
【００６０】
［第３実施形態］
次に、第３実施形態に係るバスバ保持構造、電気接続箱、及びワイヤハーネスについて図１６〜図２１を参照して説明する。なお、図２０は、図１６のＣ−Ｃ線における縦断面であり、図２１は、図１６のＤ−Ｄ線における縦断面図である。
【００６１】
第３実施形態に係るバスバ保持構造３Ｂ、電気接続箱１、及びワイヤハーネスＷＨは、バスバ保持体３０が省略され、バスバ１０の形状が異なる点で上記第１実施形態とは異なる。
【００６２】
本実施形態の電気接続箱１は、電子部品２と、内部にバスバ保持構造３Ｂを収容する筐体４とを備える。バスバ保持構造３Ｂは、バスバ１０Ｂと、端子収容部材２０とを備える。本実施形態のバスバ１０Ｂは、上記バスバ保持体３０のバスバ端子保持機能を有する点で上記バスバ１０とは異なる。バスバ１０Ｂは、バスバ端子１１Ｂａと、バスバ端子１１Ｂｂと、連結部１２とを含んで構成される。バスバ端子１１Ｂａ及びバスバ端子１１Ｂｂは、挿抜方向及び板厚方向と直交する幅方向に複数配列され、隣り合うバスバ端子１１Ｂａ，１１Ｂｂが本体部１４Ｂにおいて互いに連結されている。
ている。
【００６３】
バスバ端子１１Ｂａは、接続部１３と、基部１４Ｂａと、弾性部１３３Ａと、規制部１３４とを含んで構成される。本実施形態の接続部１３は、屈曲部１５Ａを介することなく、本体部１４Ｂに連結されている。基部１４Ｂａは、本体部１４Ｂの一部であり、接続部１３の挿入方向側の端部から抜去方向側に向けて延在する部分である。
【００６４】
弾性部１３３Ａは、対向弾性部であり、規制部１３４側の内壁と、基部１４Ｂａとの間で弾性変形するものである。具体的には、弾性部１３３Ａは、共用収容空間２１Ａを構成する一対の内壁２４ａ，２４ｂのうち、本体部１４Ｂと対向する内壁２４ａに向かって弾性変形する部分である。弾性部１３３Ａは、一方の端部が本体部１４Ｂの抜去方向側の端部に連結され、他方の端部が規制部１３４の抜去方向側の端部に連結されており、弾性変形することにより、基部１４Ｂａを規制部１３４側の内壁２４ａから規制部１３４側と反対側の内壁２４ｂに向かう方向に押圧する。弾性部１３３Ａは、バスバ端子１１Ｂａの連結方向から視た断面形状が、挿入方向側に開口するＵ字形状に形成される。なお、弾性部１３３Ａは、抜去方向側の底部から開口方向（挿入方向）側に向かって開口が広くなるように形成されていてもよい。
【００６５】
規制部１３４は、接触部であり、弾性部１３３Ａの抜去方向側の端部から挿入方向側に延在して形成された部分である。規制部１３４は、共用収容空間２１Ａにバスバ端子１１Ｂａが収容された収容状態において、本体部１４Ｂと対向方向に対向する内壁２４ａに対して面接触する。規制部１３４は、被係止部１６（７）を有する。被係止部１６は、バスバ端子１１Ｂａにおける規制部１３４の板厚方向に貫通する貫通孔である。被係止部１６は、上述した収容状態において、端子収容部材２０の内壁２４ａに設けられた端子保持部２６に係止して、バスバ端子１１Ｂａの抜去方向の移動を規制するものである。被係止部１６は、端子保持部２６の形状に合わせて、開口部の挿入方向側の辺部が当該挿入方向と直交する方向（ここではＸ方向）に直線状に形成されている。
【００６６】
バスバ端子１１Ｂｂは、バスバ端子１１Ｂａとは異なるバスバ端子であり、接続部１３と、本体部１４Ｂと、弾性部１３３Ｂと、延在部１９Ａとを含んで構成される。
【００６７】
弾性部１３３Ｂは、共用収容空間２１Ａを構成する一対の内壁２４ａ，２４ｂのうち、本体部１４Ｂと対向する内壁２４ｂに向かって弾性変形する部分である。弾性部１３３Ｂは、弾性変形することにより、本体部１４Ｂを規制部１３４側の内壁２４ａから本体部１４Ｂ側の内壁２４ｂに向かう方向に押圧する。弾性部１３３Ｂは、一方の端部が本体部１４Ｂの抜去方向側の端部に連結され、かつ他方の端部が延在部１９Ａの抜去方向側の端部に連結される。弾性部１３３Ｂは、バスバ端子１１Ｂｂの連結方向から視た断面形状が、挿入方向側に開口するＵ字形状に形成される。弾性部１３３Ｂは、抜去方向側の底部から開口方向（挿入方向）側に向かって開口が広くなるように形成されている。
【００６８】
延在部１９Ａは、挿抜方向に形成され、抜去方向側の端部が弾性部１３３Ｂに連結された部分である。延在部１９Ａは、共用収容空間２１Ａにバスバ端子１１Ｂｂが収容された収容状態において、本体部１４Ｂと対向方向に対向する内壁２４ｂに対して当接する。すなわち、弾性部１３３Ｂは、共用収容空間２１Ａにバスバ端子１１Ｂｂが収容された状態において、弾性変形することにより、本体部１４Ｂ側の内壁２４ａから延在部１９Ａ側の内壁２４ｂに向かう方向に延在部１９Ａを押圧する。
【００６９】
以上説明したように、バスバ保持構造３Ｂ、電気接続箱１、及びワイヤハーネスＷＨは、以下の構成を有する。すなわち、バスバ端子１１Ｂａ，バスバ端子１１Ｂｂは、隣り合う端子が本体部１４Ｂにおいて互いに連結されている。バスバ端子１１Ｂａは、上記収容状態において、本体部１４Ｂと対向方向に対向する内壁２４ａに対して面接触する規制部１３４と、弾性変形することにより、基部１４Ｂａを規制部１３４側の内壁２４ａから内壁２４ａと反対側の内壁２４ｂに向かう方向に押圧する弾性部１３３Ａとを有する。バスバ端子１１Ｂｂは、挿抜方向に形成された延在部１９Ａと、弾性変形することにより、延在部１９Ａと対向方向において対向する本体部１４Ｂを延在部１９Ａ側の内壁２４ｂから延在部１９Ａ側と反対側の内壁２４ａに向かう方向に押圧する。これにより、上記収容状態において、バスバ端子１１Ｂａ，１１Ｂｂが内壁２４ａ，２４ｂに押し付けられて共有収容空間２１Ａに保持されるので、バスバ端子１１Ｂａ，１１Ｂｂのガタツキを抑制することができる。この結果、上記第１及び第２実施形態と同様の効果を得ることができる。
【００７０】
次に、第３実施形態の変形例に係るバスバ保持構造、電気接続箱、及びワイヤハーネスについて図１６、図２２〜図２７を参照して説明する。なお、図２６は、図１６のＣ−Ｃ線における縦断面であり、図２７は、図１６のＤ−Ｄ線における縦断面図である。第３実施形態の変形例に係るバスバ保持構造３Ｂ、電気接続箱１、及びワイヤハーネスＷＨは、共用収容空間２１Ａにバスバ１０Ｃと共に放熱部材４０が追加されている点で上記第３実施形態とは異なる。
【００７１】
第３実施形態の変形例に係る電気接続箱１は、電子部品２と、内部にバスバ保持構造３Ｂを収容する筐体４とを備える。バスバ保持構造３Ｃは、バスバ１０Ｃと、端子収容部材２０と、放熱部材４０とを備える。バスバ１０Ｃは、各バスバ端子１１Ｂａの本体部１４Ｂが係止突起部１４ｂを有し、延在部１９Ｂが屈曲部１９Ｂａを有する点で上記バスバ１０Ｂとは異なる。係止突起部１４ｂは、各バスバ端子１１Ｂａの本体部１４Ｂから共用収容空間２１Ａに突出し、共用収容空間２１Ａにバスバ端子１１Ｂａが放熱部材４０と共に収容された状態において、放熱部材４０の係止孔４３に嵌合するものである。係止突起部１４ｂは、各バスバ端子１１Ｂａの抜去方向側に形成されている。係止突起部１４ｂは、例えば、プレス加工によりバスバ端子１１Ｂａの板厚方向に押し出して成形される。係止突起部１４ｂは、共用収容空間２１Ａにバスバ端子１１Ｂａが放熱部材４０と共に収容された状態において、放熱部材４０の挿入方向への移動を規制すべく、放熱部材４０の係止孔４３に係止して、当該放熱部材４０を保持する。なお、係止突起部１４ｂは、各バスバ端子１１Ｂａの本体部１４Ｂに形成されているが、これに限定されず、各バスバ端子１１Ｂｂの本体部１４Ｂに形成されていてもよい。
【００７２】
延在部１９Ｂは、バスバ端子１１Ｂｂにおいて挿抜方向に向かって形成され、抜去方向側の端部が弾性部１３３Ｂに連結された部分である。延在部１９Ｂは、図２７に示すように、共用収容空間２１Ａにバスバ端子１１Ｂｂが収容された収容状態において、本体部１４Ｂと対向方向に対向する内壁２４ｂに対して当接する。すなわち、弾性部１３３Ｂは、共用収容空間２１Ａにバスバ端子１１Ｂａが放熱部材４０と共に収容された状態において、弾性変形することにより、放熱部材４０側の内壁２４ａから延在部１９Ｂ側の内壁２４ｂに向かう方向に延在部１９Ｂを押圧する。
【００７３】
放熱部材４０は、図２２に示すように、バスバ１０Ｃと組み合わされた状態で共有収容空間２１Ａに収容される。放熱部材４０は、バスバ１０Ｃと密着させて共用収容空間２１Ａに収容され、バスバ１０Ｃが生じる熱を伝達して外部に放出させるものである。放熱部材４０は、例えば、放熱性の高い板状の金属材料（例えば銅または銅合金）等をプレス加工することで要求される形状に成形される。放熱部材保持体３０は、図６に示すように、複数のバスバ保持部材３１が連結方向（Ｘ方向）に連結されて構成される。バスバ保持体３０は、連結方向に隣接するバスバ保持部材３１が相互に連結部３２で接続されている。連結部３２は、第２連結部であり、隣接するバスバ保持部材３１の板状部３４を接続する部分である。
【００７４】
このように、放熱部材４０は、挿抜方向に延在して形成され、放熱部材４０がバスバ端子１１Ｂａ，１１Ｂｂと共に共用収容空間２１Ａに収容された収容状態において、本体部１４Ｂと延在部１９Ａとの間に配置され、対向方向において本体部１４Ｂと面接触する。これにより、バスバ１０Ｃで生じる熱が放熱部材４０に伝わるので、生じた熱を分散させて外部に放熱することができ、例えば通電時のバスバ１０Ｃの温度上昇を抑制することができる。
【符号の説明】
【００７５】
１  電気接続箱
２  電子部品
２１１  電子部品本体
２１２  端子
３  バスバ保持構造
４  筐体
７  係止機構
１０  バスバ
１１  バスバ端子
１２，３２  連結部
１３  接続部
１４  本体部
１５  屈曲部
１６  被係止部
１７  係止突起部
１８  突出部
２０  端子収容部材
２１Ａ  共用収容空間
２１Ｂ  単独収容空間
２２，２２Ａ，２２Ｂ  開口部
２３  収容空間
２４  内壁
２５Ａ，２５Ｂ  スリット
２６  端子保持部
２７  外壁
３０  バスバ保持体
３１  バスバ保持部材
３３  弾性部
３４  板状部
３５  係止孔
３６  保持部
１２０  連結端子
１２１  端子接続部
１２２  電線接続部
１２３  被係止部
Ｗ  配索材
ＷＨ  ワイヤハーネス
【図１】
2019153572.tif 000003
【図２】
2019153572.tif 000004
【図３】
2019153572.tif 000005
【図４】
2019153572.tif 000006
【図５】
2019153572.tif 000007
【図６】
2019153572.tif 000008
【図７】
2019153572.tif 000009
【図８】
2019153572.tif 000010
【図９】
2019153572.tif 000011
【図１０】
2019153572.tif 000012
【図１１】
2019153572.tif 000013
【図１２】
2019153572.tif 000014
【図１３】
2019153572.tif 000015
【図１４】
2019153572.tif 000016
【図１５】
2019153572.tif 000017
【図１６】
2019153572.tif 000018
【図１７】
2019153572.tif 000019
【図１８】
2019153572.tif 000020
【図１９】
2019153572.tif 000021
【図２０】
2019153572.tif 000022
【図２１】
2019153572.tif 000023
【図２２】
2019153572.tif 000024
【図２３】
2019153572.tif 000025
【図２４】
2019153572.tif 000026
【図２５】
2019153572.tif 000027
【図２６】
2019153572.tif 000028
【図２７】
2019153572.tif 000029